(57)【特許請求の範囲】
【請求項１】
取付け装置によってツールを連結することができる駆動軸（２）をハンドピース（１）の前端領域に回転可能に設け、それにより、駆動軸（２）には、タービン室（５）のタービン羽根車（４）が駆動軸（２）と共に回転可能に固定されて配置されており、タービン室（５）において、流動圧力媒体用の供給管路（１１）が入口開口部（１１ａ）のところで開口しており、排出管路（１２）が出口開口部（１２ａ）のところでタービン室（５）から延びており、それにより、圧力媒体供給を止めた後、タービン羽根車（４）の作動中、タービン室（５）において回転している圧力媒体が排出管路を通って放出されるのを防ぐ手段（２２）が設けられている特に医療または歯科医療目的のハンドピースにおいて、上記手段（２２）はタービン室（５）の領域に配置されており、機能的作動において、タービン室（５）内で回転している圧力媒体を出口開口部（１２ａ）を越えて偏向し、上記手段（２２）は、回転している圧力媒体の流れの中へ突出し、機能的作動において回転している圧力媒体用の流れ段部（ｃ）を形成する流れウェッブ（２３）を有していることを特徴とするタービンハンドピース。
【請求項２】
上記手段（２２）は流れを出口開口部（１２ａ）を越えて、その断面が円形のタービン室（５）の割線方向に偏向させることを特徴とする請求項１に記載のハンドピース。
【請求項３】
流れウェッブ（２３）は回転している圧力媒体の回転方向（１８）に対して出口開口部（１２ａ）の第１縁部（２４）の領域に配置されていることを特徴とする請求項１または２に記載のハンドピース。
【請求項４】
流れウェッブ（２３）は排出管路（１２）に対して、その断面が円形のタービン室（５）の割線方向に延びていることを特徴とする請求項１ないし３のいずれかに記載のハンドピース。
【請求項５】
回転方向に延びる流れ溝（２５）が流れウェッブ（２３）の前に配置されていることを特徴とする請求項１ないし４のうちのいずれかに記載のハンドピース。
【請求項６】
流れ溝（２５）は斜めに或いは凹形に丸味を付けた偏向表面（２６）を備えて流れウェッブ（２３）のところで終わっていることを特徴とする請求項５に記載のハンドピース。
【請求項７】
流れ溝（２５）は丸いまたは直角横断面形状を有しており、特に丸い角部を有していることを特徴とする請求項５または６に記載のハンドピース。
【請求項８】
流れ溝（２５）の深さは偏向表面（２６）まで連続的に増大していることを特徴とする請求項５ないし７のうちのいずれかに記載のハンドピース。
【請求項９】
入口開口部（１１ａ）はタービン室（５）の長さ方向中間平面（Ｅ）に垂直な半径方向中間平面に対して軸方向に片寄っていることを特徴とする請求項１ないし８のうちのいずれかに記載のハンドピース。
【請求項１０】
出口開口部（１２ａ）はタービン室（５）の一方の側に向けて前記軸の長さ方向に片寄っており、特に入口開口部（１１ａ）と反対の側に向けて片寄っていることを特徴とする請求項１ないし９のうちのいずれかに記載のハンドピース。
【請求項１１】
出口開口部（１２ａ）は周方向の長さ方向に延びる細長い穴の形状を有することを特徴とする請求項１ないし１０のうちのいずれかに記載のハンドピース。
【請求項１２】
タービン羽根車（４）は出口開口部（１２ａ）と反対側にある環状室（１９）を有していることを特徴とする請求項１０または１１に記載のハンドピース。
【請求項１３】
回転軸線（６）の長さ方向に向けらた出口開口部（１２ａ）の寸法（Ｌ２）は環状室（１９）の幅（ｄ）とほぼ同じか或いはそれより大きいことを特徴とする請求項１２に記載のハンドピース。
【請求項１４】
入口開口部（１１ａ）はタービン室（５）の長さ方向中間平面（Ｅ）に垂直な半径方向中間平面に対して一方の側に片寄っており（ａ）、タービン羽根車（４）の羽根（１４）はこの側で移動用の遊びをもってタービン室（５）の反対側の側壁部（５ａ）により境界決めされていて、圧力媒体を他方の側で出口開口部（１２ａ）と半径方向反対側にある環状室（１９）の中へ軸方向に差し向けることを特徴とする請求項１ないし１３のうちのいずれかに記載のハンドピース。
【請求項１５】
流れウェッブ（２３）は好ましくは後方から排出管路（１２）に設置されたブッシュに配置されていることを特徴とする請求項１ないし１４のうちのいずれかに記載のハンドピース。
【発明の詳細な説明】
【０００１】
【発明の属する技術分野】
本発明は取付け装置によってツールを連結することができる駆動軸をハンドピースの前端領域に回転可能に設け、それにより、駆動軸には、タービン室のタービン羽根車が駆動軸と共に回転可能に固定されて配置されており、タービン室において、流動圧力媒体用の供給管路が入口開口部のところで開口しており、排出管路が出口開口部のところでタービン室から延びており、それにより、圧力媒体供給を止めた後、タービン羽根車の作動中、タービン室において回転している圧力媒体が排出管路を通って放出されるのを防ぐ手段が設けられている特に医療または歯科医療目的のハンドピースに関する。
【０００２】
【従来の技術および発明が解決しようとする課題】
医療または歯科医療治療所や医療または歯科医療実験室において、２種類の主駆動体を有するハンドピースが確立されている。つまり、ツール用の駆動軸が電動モータで駆動されるいわゆるモータハンドピース、および駆動軸がハンドピースの前端領域に配置され、圧力媒体、特に圧縮空気で駆動されるタービンを介して駆動連結状態にあるタービンハンドピースが確立されている。本発明は後者の種類のハンドピースに関する。
【０００３】
このようなタービンハンドピースでは、タービン羽根車が実質的に丸いタービン室に回転可能に設けられている。圧力媒体はハンドピースにおいて長さ方向に延びる供給管路を通して送り出され、タービン室の入口開口部を通ってタービン羽根車の上へ流れ、タービン羽根車を回転状態にし、そして出口開口部およびそれに隣接した排出管路を通ってタービン室から出ていく。タービンの駆動は供給管路における弁を閉じることによって止められる。ハンドピースが非常に高い回転速度で駆動されるので、タービン羽根車は圧力媒体の供給を止めた後、かなりの時間、作動し、それによりタービン室から排出管路へ圧力媒体を圧縮し、このようにポンプとして働く。それにより部分真空がタービン室で生じる結果、中でも、ツール取付け領域におけるエアギャップにおいて吸引作用が発生する。これは、消毒が不適当にしか可能でなく或いは全く可能でないハンドピースに感染剤が吸入されるので、望ましくない。
【０００４】
上記の吸入または吸戻し作用を回避するために、独国特許公開公報第195 29 668 A1 号により、序論のところに示された種類のハンドピースが提案された。このハンドピースの排出管路には、締切弁が配置されており、この締切弁は送り出された圧力媒体の圧力によって開弁するように制御され、また圧力媒体の供給を止めた後に自己作用で閉弁し、タービンがポンプ機能を行うことがないようにする。この公知のハンドピースは実際に有利な解決策であるとわかったが、切り換え可能な締切弁は複雑であり、且つ高価である。
本発明の目的はポンプ機能、吸入または吸戻しを防ぐための簡単且つ経済的な構成を見出すことである。
【０００５】
【課題を解決する手段】
この目的は、請求項１の特徴により達成される。
すなわち、本発明によるハンドピースでは、タービン室の領域に吸入を防ぐ手段が配置されており、この手段はハンドピースの機能的作動において、タービン室で回転している圧力媒体を出口開口部を越えて偏向させる。これらの手段によって、圧力媒体は出口開口部を通って出ていくのを防がれる。かくして、圧力媒体の供給停止後のタービン羽根車の作動中にも、ポンプ機能が起こらず、かくして、部分真空がタービン室で生じず、吸入も起こらない。本発明によるハンドピースの機能は、出口開口部の前方に延びていて、出口開口部を通って圧力媒体が出ていくのを防ぐ言わばカーテンを形成するタービン室内の回転している圧力媒体の流れに基づいている。かくして、本発明は、回転している圧力媒体が出口開口部を越えて偏向されると、出口開口部の閉鎖体をなすことができると言う見識に基づいている。これに関して、層流または乱流帯域も含まれる。出口開口部の領域において流れが出口開口部を通って出ていくのを防ぐ経路を取ることが重要である。この目的の達成は、止めた後のタービン室における回転している圧力媒体の圧力が主として室圧に対応し、かくして実質的に「無圧」であり、従って、出口開口部の前方の比較的弱い流れのカーテンさえ出口開口部を通って出ていくのを防ぐことができると言う点で簡略化されている。求める流れの偏向は、流れの中へ突出する流れ段部によって達成することができ、この流れ段部は回転している圧力媒体を押圧し、かくして遠心力下にもたらして内方に片寄った流路を取らせ、それにより段部により引き起こされた流れの片寄りがもはや存在しないときには、流れは出口開口部をすでに通ったことになる。本発明による段部の機能は、ジャンプ台縁部の背後に存在する空間が出口開口部として考えられるなら、スキージャンプ台に匹敵する。出口開口部を越えて偏向すべき媒体がガス、特に、圧縮空気であるので、絶対的な流れカーテン閉鎖体がほとんど達成することができないことを想定すべきである。しかしながら、試験の結果、本発明による先の流れの方向からの内方の流れの偏向は、有害な部分真空がタービン室に生じず、吸入または吸戻しが効果的に防がれるような程度まで、出口開口部を通って圧力媒体が出ていくのを防ぐことが示された。
しかも、本発明はタービンハンドピースの場合の機能および／または効能を向上させることを目的としている。
この目的は請求項１５の特徴により達成される。
すなわち、本発明によるこの構成では、圧力媒体はタービン羽根を通って軸方向に流れ、それにより羽根の背後では、環状室で膨張することができ、この環状室から出口開口部を経て流れる出ることができる。このような構成では、有利な流路が予め定められ、この流路に沿って圧力媒体が比較的小さい流れ抵抗に出会う。これらの手段によって、タービンの作動およびタービンハンドピースの容量が向上される。更に、本発明によるこの構成は簡単且つ経済的に製造可能な構成であり、それにより製造を簡単化し、より経済的に実施することができる。
【０００６】
即ち、本発明のタービンハンドピースは、請求項１記載の通り、取付け装置によってツールを連結することができる駆動軸（２）をハンドピース（１）の前端領域に回転可能に設け、それにより、駆動軸（２）には、タービン室（５）のタービン羽根車（４）が駆動軸（２）と共に回転可能に固定されて配置されており、タービン室（５）において、流動圧力媒体用の供給管路（１１）が入口開口部（１１ａ）のところで開口しており、排出管路（１２）が出口開口部（１２ａ）のところでタービン室（５）から延びており、それにより、圧力媒体供給を止めた後、タービン羽根車（４）の作動中、タービン室（５）において回転している圧力媒体が排出管路を通って放出されるのを防ぐ手段（２２）が設けられている特に医療または歯科医療目的のハンドピースにおいて、上記手段（２２）はタービン室（５）の領域に配置されており、機能的作動において、タービン室（５）内で回転している圧力媒体を出口開口部（１２ａ）を越えて偏向し、上記手段（２２）は、回転している圧力媒体の流れの中へ突出し、機能的作動において回転している圧力媒体用の流れ段部（ｃ）を形成する流れウェッブ（２３）を有していることを特徴とする。
また、請求項２記載のハンドピースは、請求項１に記載のハンドピースにおいて、上記手段（２２）は流れを出口開口部（１２ａ）を越えて、その断面が円形のタービン室（５）の割線方向に偏向させることを特徴とする。
また、請求項３記載のハンドピースは、請求項１または２に記載のハンドピースにおいて、流れウェッブ（２３）は回転している圧力媒体の回転方向（１８）に対して出口開口部（１２ａ）の第１縁部（２４）の領域に配置されていることを特徴とする。
また、請求項４記載のハンドピースは、請求項１ないし３のいずれかに記載のハンドピースにおいて、流れウェッブ（２３）は排出管路（１２）に対して割線方向に延びていることを特徴とする。
また、請求項５記載のハンドピースは、請求項１ないし４のうちのいずれかに記載のハンドピースにおいて、回転方向に延びる流れ溝（２５）が流れウェッブ（２３）の前に配置されていることを特徴とする。
また、請求項６記載のハンドピースは、請求項５に記載のハンドピースにおいて、流れ溝（２５）は斜めに或いは凹形に丸味を付けた偏向表面（２６）を備えて流れウェッブ（２３）のところで終わっていることを特徴とする。
また、請求項７記載のハンドピースは、請求項５または６に記載のハンドピースにおいて、流れ溝（２５）は丸いまたは直角横断面形状を有しており、特に丸い角部を有していることを特徴とする。
また、請求項８のハンドピースは、請求項５ないし７のうちのいずれかに記載のハンドピースにおいて、流れ溝（２５）の深さは偏向表面（２６）まで連続的に増大していることを特徴とする。
また、請求項９記載のハンドピースは、請求項１ないし８のうちのいずれかに記載のハンドピースにおいて、入口開口部（１１ａ）はタービン室（５）の半径方向中間平面に対して軸方向に片寄っていることを特徴とする。
また、請求項１０記載のハンドピースは、請求項１ないし９のうちのいずれかに記載のハンドピースにおいて、出口開口部（１２ａ）はタービン室（５）の一方の側に向けて回転軸線（６）の長さ方向に片寄っており、特に入口開口部（１１ａ）と反対の側に向けて片寄っていることを特徴とする。
また、請求項１１記載のハンドピースは、請求項１ないし１０のうちのいずれかに記載のハンドピースにおいて、出口開口部（１２ａ）は周方向の長さ方向に延びる細長い穴の形状を有することを特徴とする。
また、請求項１２記載のハンドピースは、請求項１０または１１に記載のハンドピースにおいて、タービン羽根車（４）は出口開口部（１２ａ）と反対側にある環状室（１９）を有していることを特徴とする。
また、請求項１３記載のハンドピースは、請求項１２に記載のハンドピースにおいて、回転軸線（６）の長さ方向に向けらた出口開口部（１２ａ）の寸法（Ｌ２）は環状室（１９）の幅（ｄ）とほぼ同じか或いはそれより大きいことを特徴とする。
また、請求項１４記載のハンドピースは、請求項１ないし１３のうちのいずれかに記載のハンドピースにおいて、入口開口部（１１ａ）はタービン室（５）の半径方向中間平面に対して一方の側に片寄っており（ａ）、タービン羽根車（４）の羽根（１４）はこの側で移動用の遊びをもってタービン室（５）の反対側の側壁部（５ａ）により境界決めされていて、圧力媒体を他方の側で出口開口部（１２ａ）と半径方向反対側にある環状室（１９）の中へ軸方向に差し向けることを特徴とする。
また、請求項１５記載のハンドピースは、請求項１ないし１４のうちのいずれかに記載のハンドピースにおいて、流れウェッブ（２３）は好ましくは後方から排出管路（１２）に設置されたブッシュに配置されていることを特徴とする。
【０００７】
【実施例】
添付図面を参照して本発明およびそれにより達成することができる利点を有利な好例の実施例についてより詳細に説明する。
ハンドピース１はロッド状グリップボディであり、このロッド状グリップボディは、図示していないその後端部が、在来のように駆動エネルギおよび補助媒体用の可撓性供給ラインと連結されるいわゆる連結部品に結合することができる。ハンドピース１の前端領域において、ツール用駆動軸２が室に回転可能に設けられており、それにより図示していないツールを同様に詳細には図示していない連結装置または取付け装置によって駆動軸２と連結することができる。この目的で、駆動軸２は、ツールを中空の差込み嵌合駆動軸に外側から挿入することができるようにハンドピース１のヘッドハウジング１ａの穴を貫通している。駆動軸２はタービン３によって駆動可能であり、タービンのタービン羽根車４は、好ましくは駆動軸と一体に製造されて駆動軸２と共に固定的に回転するように構成され、すべての側でタービン室５に移動用の遊びをもって回転自在に設けられており、タービン室５は円形の基本横断面形状を有する。タービン羽根車４の２つの側において、軸受け部品２ａが駆動軸２に配置されており、これらの部品は摺動ベアリングまたはローラベアリングとして形成され、ハンドピースに設けられてシールされている。
【０００８】
本構成では、ハンドピース１のロッド形態はまっすぐに或いはそれ自身公知なように傾斜されて延びており（傾斜ピース）、それにより駆動軸２の回転軸線６はいわゆる傾斜ヘッドの意味でハンドピースボディの長さ方向の中間軸線７の横断方向に延びている。タービン羽根車４を有する駆動軸２はツールから離れた側から取付けおよび取外し可能であるように構成されている。この目的で、この側では、ハウジング１ａが押しボタン９を設けたねじ板８により閉じられており、押しボタン９により、ツールを図示していないツール取付け装置から外すことができる。
【０００９】
タービン３は圧力媒体、詳細には圧縮空気により駆動可能である。供給および排出のために、供給管路１１および排出管路１２が設けられており、これらの管路はハンドピースボディを通って延びており、上記連結継手により供給管路において延びている更なる他の供給／排出管路部分に連結可能である。
【００１０】
供給管路１１は入口開口部１１ａはタービン室５に開口しており、タービン室に対するこの開口は供給管路１１の開口断面とともに割線方向に展開しており、好例の本実施例では、中心を外れて軸方向に偏って配置されている（片寄り量ａ参照）。排出管路１２は出口開口部１２ａから延びており、この出口開口部１２ａは入口開口部１１ａの横断面積より大きい横断面積を有しており、片寄り量ｂだけ他方の側まで、好ましくは、タービン室５の関連側縁部１３により境界決めされる程度に遠くへ片寄っている。この構成では、出口開口部１２ａは半円形状に丸味を付けた細長い穴端部を有する細長い穴の形態を有しており、この穴は回転軸線６を含む長さ方向中間平面Ｅに対してほぼ中央に配置されている。回転軸線６に対して横方向に延びている長さ方向穴または出口開口部１２ａの長さＬ１は軸方向寸法Ｌ２より大きい。開口部１１ａ、１２ａ、供給管路１１および排出管路１２は長さ方向中間平面Ｅに対して横方向に見て上下に配置されており、それにより出口開口部１２ａおよび排出管路１２は頂部にある。
【００１１】
タービン羽根車４は駆動軸２と一体に形成することができ、それにより実質的に円筒形ボディにより形成されており、この円筒形ボディはハンドピース１の長さ方向に対して横方向に延びている羽根表面１４ａを持つ複数の羽根１４をその周囲に有しており、これらの羽根表面１４ａは好ましくは流入方向に対して覆い表面に配置された角度を付けて形成された凹部１５からの境界表面である凹形の円筒形断面形状の表面として形成されており、これらの表面のうちの特に平面状の基表面１５ａは羽根表面１４ａの凹形状から離れる方向に両側に突出しており、各々の場合、先行羽根１４の後面１５ｂを構成している。図１および図３ないし図５に示す構成では、中間ウェッブ１６が夫々の羽根表面１４ａの前に配置されており、これらの中間ウェッブ１６の各々は基表面１５ａから半径方向外方に延びていて、タービン羽根４の仮想の円筒形外側覆いで終わっており、中間ウェッブ１６の覆い表面部分１６ａが円筒形覆いに位置決めされるようになっている。図で上から見て、中間ウェッブ１６はほぼタービン羽根車７の中間の横平面に位置決めされており、それにより入口開口部１１ａは中間ウェッブ１６とタービン室５の関連側壁部５ａとの間に存在する入口チャンネル１１ｂとほぼ整合して配置されている。中間ウェッブ１６は丸いウェッブ先端部が回転方向１８に向いた状態で流入方向１７に対して収束方向または斜めに延びており、それによりタービン３のパワーが増大される。中間ウェッブ１６は圧力媒体の流れを羽根表面１４ａの一方の側へ差し向け、それにより圧力媒体は丸い羽根表面１４ａにおいて羽根１４を通って流れる。
【００１２】
タービン羽根車４の他方の側には、タービン羽根車４に環状室１９が配置されており、この環状室１９は出口開口部１２ａの領域に位置決めされており、半径方向および端部に開放している凹部によって、或いは環状溝によって、適切なら、端部の近傍に形成されており、それにより環状室１９は、タービン羽根車ボディの一部であって、移動用の遊びを持ってタービン室の近傍側壁部５ｂと協働する薄いタービン羽根車ウェッブ２１により端部に向けて境界決めされている。
【００１３】
図６および図７に示すタービン羽根車４は中間ウェッブ１６が省かれていると言う点で図３ないし図５に示すタービン羽根車４と異なっている。このようなタービン羽根車４もまた機能することが可能である。
【００１４】
タービン３の機能的作動において出口開口部１２ａを通り過ぎて回転方向１８にタービン室５内で回転している圧力媒体を偏向させる手段２２が回転方向１８における出口開口部１２の前の領域でタービン３と関連されている。この手段２２は流路内へ突出していて、流れ方向１８に対して出口開口部１２ａの第１縁部２４の領域に配置された流れウェッブ２３により構成されており、流れウェッブ２３は出口開口部１２ａからの流れを出口開口部１２ａの背後のタービン室の周壁部５ｃに達するように内方に偏向させる。機能的には、ウェッブ２３は、出口開口部１２ａの上方の流れが上昇され、それにより出口開口部１２ａを通って出ないようになっているスキージャンプ台に匹敵している。ウェッブ２３が流れ段部として回転している圧力媒体の中へ突出する量Ｃはタービン室５の周壁部５ｃとタービン羽根車４との間の半径方向の間隔より大きいので、流れ溝２５が出口開口部１２ａの有効幅Ｌ２と一致して周壁部５ｃに配置されており、この周壁部５ｃに平らに没設されており、図８および図９によれば、縁部２４まで大きく凹形の丸みをもって延びていて、偏向表面２６を形成しており、それによりウェッブ２３が形成されている。流れ溝２５の基表面はおおよそ中断縁部２７まで流れ方向に増大している凹形湾曲を持つ放物線の形態を有する。本構成では、流れ溝２５はＸ軸が出口開口部１２ａを通って延びる関連した横断面四分円のＹ軸の領域で始まっている。中断縁部２７のところで流れの無破壊中断を達成するために流れ溝２５の丸い偏向表面２６がウェッブ２３の鋭い縁部のところで突き出るのが有利である。それにより、ウェッブ２３がまっすぐに延びていれば更に有利である。しかしながら、図９による丸い出口開口部１２ａの縁部２４および流れウェッブ２３が湾曲弧形態で展開しており、同じか或いは同様の部分には同じ符号を付してある図２、図８および図１０によれば、まっすぐに延びているウェッブ２３が実現可能ではないので、丸い穴横断面形態の割線方向に延びるように、出口開口部１２ａの実際の縁部２４に対して開口部の中心に向けて片寄っているウェッブ２３が提案される。この片寄りを可能にするために、流れウェッブ２３はこれを支持し、且つハウジング１ａのボディの流れウェッブ２３と一体に形成された基ウェッブ２８に配置されている。
【００１５】
同じか或いは同様の部分には同じ符号を付してある図１０による構成は、流れウェッブ２３まで傾斜状に上昇している偏向表面２６が省かれていると言う点でのみ、図９による構成と異なっている。この偏向表面２６の代わりに、更に流れ溝２５の基表面２５ａが薄い流れウェッブ２３として形成された境界まで円弧形状で延びている。
【００１６】
図１１および図１２からわかるように、流れ溝２５の横断面形態は種々の形状を有することができる。図１１による構成では、円形断面形状の横断面形態が設けられている。図１２による構成では、直角形状の横断面形態が設けられており、それにより縁部が好ましくは丸い。
【００１７】
同じか或いは同様の部分には同じ符号を付してある図１３ないし図１５による構成は、ハウジングまたはハンドピース１のボディにではなく、流れウェッブ２３が流れ溝２５の基表面２５ａ上に突出し、縁部２４に或いはその近傍に位置決めされる程度に遠くに排出チャンネル１２中に固定設置されたスリーブまたはブッシュ３１に流れウェッブ２３が配置されていると言う点で上記好例の実施例と異なっている。この構成では、薄いブッシュが設けられており、このブッシュは割線方向内方に片寄った流れウェッブ２４を前端部に有しており、この流れウェッブは基ウェッブ２８を形成する円弧断面形状の端壁部に配置されている。流れウェッブ２３はいわゆるガセット板３２によって安定化することができる。流れウェッブ２３の反対側にあるブッシュ３１の周領域には、特により広い出口開口部１２ａの場合、広げることを確保する凹部またはスリット開口部３３が設けられている。ブッシュ３１の後縁部に、少なくとも１つの半径方向に突出した縁角部３４が設けられてもよく、この縁角部３４はブッシュ３１の内方変位を制限するためのストッパを構成することができ、および／または回転止めをなすことなでき、またスリット開口部３３を含む長さ方向平面に対して、約６０°の角度Ｗだけ回して配置されてもよい。
【００１８】
特に図１３にはっきり示すように、流れウェッブ２３の端面２３ａは、流れウェッブ２３のくさび角度Ｗ１が約５０〜８５°、特に、ほぼ６８°であるように自由角度、アンダーカットされるのがよい。
【００１９】
更に、端面２３または流れウェッブ縁部２７は例えば約３°ないし１０°、特に約５°の角度Ｗ２だけ長さ方向中間軸線の長さ方向に見て一方の側に向けて斜めに傾斜されてもよい。これは、ハンドピースおよび／または出口チャンネル２６のグリップ部分がタービンに対する半径方向の平面に対して上方に傾斜される図１に示す角度Ｗ３である。
【００２０】
すべての好例の実施例では、流れウェッブ２３は量ｅだけタービン室５の自由空間に突入するように量ｅだけ周壁部５ｃの上方に突出することができる。この量ｅはタービン羽根車４と流れウェッブ２３との間に移動用の遊びがあるようにタービン羽根車４と周壁部５ｃとの間の移動用の半径方向の遊びより小さいべきである。
【００２１】
タービン３の機能を以下に説明する。機能的作動において、タービン羽根車４は入口開口部１１ａを通って割線方向に流れる圧力媒体ジェットによって駆動される。それにより、圧力媒体ジェットは中間ウェッブ１６と側壁部５ａとの間に差し向けられ、それにより追加のトルクが中間ウェッブ１６の斜めの配置に起因してタービン羽根車４に伝達される。更に、中間ウェッブ１６により圧力媒体が一方の側の羽根１４に接触してそれを通って軸方向に流れ、次いで環状室１９において膨張することができ、そこから、圧力媒体が援助する回転中、長さ方向中間平面Ｅの他方の側の入口開口部１１ａに対して配置された流れ溝２５の中へ入り、次いで流れウェッブ２３に達し、そこで斜めに或いは僅かに弧状の流れが遠心力により出口開口部１２ａを越えて且つ出口開口部１２ａの背後に内方に偏向され、再びタービン室５の周壁部５ｃに達する。偏向流れ断面は図８ないし図１０に矢印で示し且つ３５を付してある。偏向流れ断面３５は、出口開口部１２ａを通るタービン室５内の圧力媒体の流出が防がれるように出口開口部１２ａの前方に流れカーテンを形成する。その結果、タービン室５への望ましくない吸い込みまたは吸い戻しを引き起こすような損傷的部分真空がタービン室５に発生しない。タービン３の機能的作動において、すなわち、タービンが圧力下で圧力媒体で駆動されると、タービン室５とは対照的に、偏向流れ部分３５によって形成される出口開口部１２の前方の流れカーテンが貫かれ、費やされた圧力媒体が連続的に排出されるような大きい圧力が生じる。
【００２２】
図１からわかるように、出口開口部１２ａの幅Ｌ２は環状室１９の幅ｄより大きく、また適切なら、ウェッブディスク２１の厚さｆより大きい。本構成では、寸法Ｌ２はタービン室５の軸方向幅ｇの約半分である。また、流れ凹部２５もこの幅を有している。環状室１９の幅ｇはウェッブの幅ｆを含めて、出口開口部１２ａの幅Ｌ２の約半分であることができ、或いはもっと大きくてもよい。
【００２３】
環状溝１９と反対側にある出口開口部１２ａの上方領域および羽根１４のすぐ反対側にある出口開口部１２ａの下方領域において、タービン羽根車４の作動時の本発明によるポンプ作用の防止が行われる。
【００２４】
ハンドピース１、タービン羽根車４およびブッシュ３１は好ましくは金属製である。
【００２５】
以上の説明では、簡単化のために、語「圧力媒体」はタービン３を通って流れる総合的なガス、特に圧縮空気用に使用した。これが事実上、駆動用圧力媒体ジェットにのみ当てはまることに注意を向けるべきである。なぜなら、流出ガスに存在する圧力は大気圧よりほんの僅かに大きく、従ってほとんど「圧力媒体」ではない。しかしながら、簡単化のために、語「圧力媒体」の採用は全体として正当だと認められる。
【図面の簡単な説明】
【図１】本発明によるハンドピースの前端領域の軸方向垂直断面図である。
【図２】図１に矢印Ｘで示した方向におけるハンドピースの拡大詳細図である。
【図３】タービン羽根車の斜め断面図である。
【図４】タービン羽根車の軸方向断面図である。
【図５】タービン羽根車を上から見た図である。
【図６】変更構成のタービン羽根車の斜め断面図である。
【図７】図６のタービン羽根車を上から見た図である。
【図８】図２の線ＶＩＩＩ−ＶＩＩＩに沿った部分断面図である。
【図９】変更構成における線ＶＩＩＩ−ＶＩＩＩに沿った部分断面図である。
【図１０】更なる変更構成における線ＶＩＩＩ−ＶＩＩＩに沿った部分断面図である。
【図１１】図１０の線ＸＩ−ＸＩに沿った部分断面図である。
【図１２】変更構成における線ＸＩ−ＸＩに沿った部分断面図である。
【図１３】挿入スリーブについての本発明による特定構成の図である。
【図１４】左側から見た挿入スリーブの側面図である。
【図１５】端部から見た挿入スリーブの図である。
【符号の説明】
１          ハンドピース
２          駆動軸
３          タービン
４          タービン羽根車
５          タービン室
１１        供給管路
１２        排出管路
１１ａ      入口開口部
１２ａ      出口開口部
１４        羽根
１６        中間ウェッブ
１９        環状室
２３        流れウェッブ
２５        流れ溝
２６        変更表面
２８        基ウェッブ
【図１】
0004100833.tif 000002
【図２】
0004100833.tif 000003
【図３】
0004100833.tif 000004
【図４】
0004100833.tif 000005
【図５】
0004100833.tif 000006
【図６】
0004100833.tif 000007
【図７】
0004100833.tif 000008
【図８】
0004100833.tif 000009
【図９】
0004100833.tif 000010
【図１０】
0004100833.tif 000011
【図１１】
0004100833.tif 000012
【図１２】
0004100833.tif 000013
【図１３】
0004100833.tif 000014
【図１４】
0004100833.tif 000015
【図１５】
0004100833.tif 000016